(57)【要約】【課題】部品点数の削減を可能とした吸収性物品を提供する。【解決手段】前身頃を構成する腹側外装体１２Ｆと、後身頃を構成する背側外装体１２Ｒと、前後方向における両端部が腹側外装体１２Ｆおよび背側外装体１２Ｒと重なる被接着部１６Ａとを備える吸収性本体１６とを備え、腹側外装体１２Ｆの腹側内部弾性部２７Ｆは、被接着部１６Ａより肌側となる内側に位置し、被接着部１６Ａと腹側内部弾性部２７Ｆとの間に、開口端が股下側を向いた腹側ポケット３０Ｆを備え、腹側ポケット３０Ｆは、ポケット３０Ｆ以外の部位を丸めた団塊部を収納可能な大きさを備えている。【選択図】図２
2018102504.tif 000002
【特許請求の範囲】
【請求項１】
前身頃を構成する第１外装部と、
後身頃を構成する第２外装部と、
前後方向における両端部が前記第１外装部および前記第２外装部と重なる被接着部とを備える吸収性本体とを備え、
前記第１外装部と前記第２外装部とは、胴回り方向の両端部が接合部で接続されて胴回り部を構成し、
前記第１外装部と前記第２外装部のうちの少なくとも１つの外装部は、前記吸収性本体より肌側となる内側に位置し、
前記被接着部と前記外装部と重なる領域には、開口端が股下側を向いたポケットを備え、
少なくとも１つの前記ポケットは、前記接合部において前記第１外装部と前記第２外装部とを切り離した状態で、当該ポケット以外の部位を前記前後方向に丸めた団塊部を収納可能な大きさを備えている
吸収性物品。
【請求項２】
前記吸収性本体の前後方向における前記ポケットの深さＡは、Ａ＞Ｄ／２である
請求項１に記載の吸収性物品。
Ｄ：Ｄ＝２×√（Ｔ×Ｌ／π）で規定される前記団塊部の直径
Ｔ：吸収性物品の厚さ
Ｌ：Ｌ＝前記吸収性物品の前記前後方向における全長Ｌall−胴回り開口端と前記ポケットの最深部との間の余白Ｂ
【請求項３】
前記吸収性本体は、吸収体を備え、
前記被接着部は、前記吸収体の領域が前記外装部に対して非接着となり、前記吸収体の周辺部が接着領域となる
請求項１または２に記載の吸収性物品。
【請求項４】
前記外装部は、胴回り方向に伸縮する内部弾性部であって、前記吸収性本体より内側に位置する前記内部弾性部と、
前記吸収性本体より肌とは反対側の外側であって、少なくとも前記内部弾性部と対向して位置する外側のシート部とを備え、
前記被接着部は、前記内部弾性部に対して非接着であり、前記シート部に対して接着されている
請求項１ないし３の何れか１項に記載の吸収性物品。
【請求項５】
前記吸収性物品は、胴回り開口部を含む上部領域と、
前記上部領域より股下部側に位置する下部領域とをさらに備え、
前記上部領域は、前記吸収性本体の内側に、胴回り方向に伸縮する内部弾性部を備え、
前記下部領域は、前記吸収性本体の外側に、胴回り方向に伸縮する外部弾性部を備え、
前記外部弾性部は、前記被接着部の外側に接着されている
請求項１ないし４の何れか１項に記載の吸収性物品。
【請求項６】
前記ポケットは、前記第１外装部と前記第２外装部のそれぞれに設けられ、前記第１外装部のポケットの方が前記第２外装部のポケットより大きい
請求項１ないし５の何れか１項に記載の吸収性物品。
【発明の詳細な説明】
【技術分野】
【０００１】
本発明は、排泄物を収容するポケットを外装部に構成した吸収性物品に関する。
【背景技術】
【０００２】
吸収性物品の中には、前身頃を構成する腹側外装部と、後身頃を構成する背側外装部と、前端部が腹側外装部に接合され後端部が背側外装部に接合される吸収性本体とを備えた使い捨ておむつがある。そして、特許文献１に示すように、使い捨ておむつには、着用者の腹部と接する内面および背部と接する内面に、股下部側を開口端としたポケットが構成されている。ポケットは、開口端から進入した排泄物を収容することで、排泄物が腹部から漏れる腹漏れや背部から漏れる背漏れを抑制する。（特許文献１参照）。
【０００３】
従来、このような使い捨ておむつは、背側外装部の外面にテープ体が折り畳んで配置されており、捨てる際には、廃棄する使い捨ておむつを股下部側から胴回り開口部の方向に丸め、テープ体を伸展して、テープ体で止める。使い捨ておむつは、このように丸められた状態で廃棄される。
【先行技術文献】
【特許文献】
【０００４】
【特許文献１】特許第５４５７８２８号公報
【発明の概要】
【発明が解決しようとする課題】
【０００５】
ところで、使い捨ておむつのような吸収性物品にあっても、更なる部品点数の削減が求められる。
【０００６】
本発明は、部品点数の削減を可能とした吸収性物品を提供することを目的とする。
【課題を解決するための手段】
【０００７】
上記課題を解決するための吸収性物品は、前身頃を構成する第１外装部と、後身頃を構成する第２外装部と、前後方向における両端部が前記第１外装部および前記第２外装部と重なる被接着部とを備える吸収性本体とを備え、前記第１外装部と前記第２外装部とは、胴回り方向の両端部が接合部で接続されて胴回り部を構成し、前記第１外装部と前記第２外装部のうちの少なくとも１つの外装部は、前記吸収性本体より肌側となる内側に位置し、前記被接着部と前記外装部と重なる領域には、開口端が股下側を向いたポケットを備え、少なくとも１つの前記ポケットは、前記接合部において前記第１外装部と前記第２外装部とを切り離した状態で、当該ポケット以外の部位を前記前後方向に丸めた団塊部を収納可能な大きさを備えている。
【０００８】
上記構成によれば、ポケットに対して団塊部を収容して、小さくまとめた吸収性物品を、排泄物が手につかない状態で廃棄することができる。
【０００９】
上記吸収性物品において、前記吸収性本体の前後方向における前記ポケットの深さＡは、Ａ＞Ｄ／２である構成としてもよい。
Ｄ：Ｄ＝２×√（Ｔ×Ｌ／π）で規定される前記団塊部の直径
Ｔ：吸収性物品の厚さ
Ｌ：Ｌ＝前記吸収性物品の前記前後方向における全長Ｌall−胴回り開口端と前記ポケットの最深部との間の余白Ｂ
上記構成によれば、ポケットに対して団塊部を確実に収容することができる。
【００１０】
上記吸収性物品において、前記吸収性本体は、吸収体を備え、前記被接着部は、前記吸収体の領域が前記外装部に対して非接着となり、前記吸収体の周辺部が接着領域となるようにしてもよい。
上記構成によれば、吸収体の領域の上にポケットを構成することができ、吸収体を幅方向に折りたたむことなく、丸めてポケット内に収納することができる。
【００１１】
上記吸収性物品において、前記外装部は、胴回り方向に伸縮する内部弾性部であって、前記吸収性本体より内側に位置する前記内部弾性部と、前記吸収性本体より肌とは反対側の外側であって、少なくとも前記内部弾性部と対向して位置する外側のシート部とを備え、前記被接着部は、前記内部弾性部に対して非接着であり、前記シート部に対して接着されている構成としてもよい。
上記構成によれば、内部弾性部と被接着部との間にポケットを構成しそのポケットを大きく構成することができる。
【００１２】
上記吸収性物品において、前記吸収性物品は、胴回り開口部を含む上部領域と、前記上部領域より股下部側に位置する下部領域とをさらに備え、前記上部領域は、前記吸収性本体の内側に、胴回り方向に伸縮する内部弾性部を備え、前記下部領域は、前記吸収性本体の外側に、胴回り方向に伸縮する外部弾性部を備え、前記外部弾性部は、前記被接着部の外側に接着されている構成としてもよい。
上記構成によれば、上部領域における内部弾性部の下側の下部領域にさらに、外部弾性部を設けることができ、装着感を向上させることができるとともに、排泄物の漏れを防ぐことができる。
【００１３】
上記吸収性物品において、前記ポケットは、前記第１外装部と前記第２外装部のそれぞれに設けられ、前記第１外装部のポケットの方が前記第２外装部のポケットより大きい構成としてもよい。
上記構成によれば、第１外装部のポケットを腹側としたとき、腹側に流れた排泄物を確実に収容することができる。そして、大きい方のポケットに団塊部を収容することができる。
【発明の効果】
【００１４】
本発明によれば、部品点数の削減を可能とした吸収性物品を提供することができる。
【図面の簡単な説明】
【００１５】
【図１】本発明の吸収性本体を具体化した第１実施形態におけるパンツ型使い捨ておむつの斜視図。
【図２】（ａ）は、第１実施形態におけるパンツ型使い捨ておむつの展開状態を示す平面図、（ｂ）は、（ａ）のａ−ａ断面図。
【図３】（ａ）は、上部領域の接着領域を図２（ａ）に対応して示す平面図、（ｂ）は、下部領域の接着領域を図２（ａ）に対応して示す平面図。
【図４】おむつが装着された状態の要部断面図。
【図５】おむつを丸める方向を説明する平面図。
【図６】おむつを丸めポケットに収容した状態を示す斜視図。
【図７】腹側ポケットの大きさとおむつを丸めた団塊部の大きさとの関係を示す概念図。
【図８】おむつの厚さを説明する断面図。
【図９】（ａ）は、第２実施形態におけるパンツ型使い捨ておむつを示す斜視図、（ｂ）はその断面図。
【発明を実施するための形態】
【００１６】
図１ないし図９を参照して本発明における吸収性物品を具体化した一実施形態におけるパンツ型使い捨ておむつについて説明する。
〔第１実施形態〕
図１に示すように、パンツ型使い捨ておむつ１０（以下、単に「おむつ１０」という。）は、人体の腹部形状に追従する形状を有する前身頃１０Ｆと、人体の背部形状に追従する形状を有する後身頃１０Ｒと、前身頃１０Ｆおよび後身頃１０Ｒを繋ぐ股下部１０Ｃとを備える。
【００１７】
前身頃１０Ｆにおいて股下部１０Ｃと反対側は、人体の胴回りの部分を取り囲む胴回り部１０Ｗを構成し、上端に、胴回り開口部１０Ａを備えている。また、前身頃１０Ｆにおける左右両端部、後身頃１０Ｒにおける左右両端部、および、股下部１０Ｃにおける左右両端部とは、人体の太股部分を取り囲む形状を有した左右一対の脚回り開口部１０Ｌを構成している。また、前身頃１０Ｆと後身頃１０Ｒの胴回り方向の左右両端部は、接合部１１となっている。
【００１８】
図２（ａ）は、パンツ型使い捨ておむつの展開状態を示す平面図、（ｂ）は、（ａ）のａ−ａ断面図である。なお、図２（ｂ）において、右側がおむつ装着者の肌側となる。
【００１９】
前身頃１０Ｆにおける胴回り部１０Ｗは、腹側の第１外装部としての腹側外装体１２Ｆで構成され、後身頃１０Ｒにおける胴回り部１０Ｗは、背側の第２外装部としての背側外装体１２Ｒで構成されている。
【００２０】
腹側外装体１２Ｆおよび背側外装体１２Ｒは、胴回り方向を長手方向とした矩形形状を有している。外装体を構成するシートは、一例として、ポリエチレン、ポリプロピレン、ポリエステル、その他の熱可塑性樹脂を原料とした合成繊維からなる不織布であり、また、透液性シート、不透液性シートであってもよい。そして、腹側外装体１２Ｆは、腹側外装体１２Ｆを構成するシート間に腹側上部弾性部材１５ＦＵおよび腹側下部弾性部材１５ＦＤが挟まれて構成されている。背側外装体１２Ｒもまた、背側外装体１２Ｒを構成するシート間に背側上部弾性部材１５ＲＵおよび背側下部弾性部材１５ＲＤが挟まれて構成されている。これらの弾性部材１５ＦＵ，１５ＦＤ，１５ＲＵ，１５ＲＤは、天然ゴム、合成ゴム、ウレタンなどから選ばれる１つ以上の材料により形成された弾性体であり、糸状または紐状に形成されている。弾性部材１５ＦＵ，１５ＦＤ，１５ＲＵ，１５ＲＤは、複数本が互いに平行に、胴回り方向に沿って配置されている。
【００２１】
腹側外装体１２Ｆと背側外装体１２Ｒとは、股下部１０Ｃを構成する吸収性本体１６で連結される。吸収性本体１６は、前後方向を長手方向とした矩形形状を有している。図２（ｂ）に示すように、吸収性本体１６は、液不透過性を有したバックシート１７と、吸収体１８と、液透過性を有したトップシート１９とを備える。おむつ１０において、トップシート１９は、着用者の肌と接する内側に配置され、バックシート１７は、外側に配置される。そして、おむつ１０において、外側から、バックシート１７、吸収体１８、トップシート１９の順に重なっている。さらに、バックシート１７の外側には、手触り感を向上させるために、不織布を配置してもよい。
【００２２】
バックシート１７を形成する材料は、例えば、液不透過性を有したポリエチレン樹脂製のフィルムである。バックシート１７は、通気性を確保するため、微細孔が多数形成されている。トップシート１９を形成する材料は、例えば、織布、不織布、多孔性フィルムなどから選ばれる１以上の材料である。また、トップシート１９は、例えば、ポリプロピレン、ポリエチレン、ポリエステル、ナイロンのような熱可塑性樹脂の繊維であって親水化処理が施された繊維から構成される液透過性を有した不織布などが用いられる。
【００２３】
吸収体１８は、前身頃１０Ｆ、股下部１０Ｃ、および、後身頃１０Ｒに跨るように細長い帯形状を有している。吸収体１８は、吸収性材料の成形体と、成形体を包むコアラップとで構成されている。吸収体１８を形成する吸収性材料の成形体は、例えば、フラップパルプ、高吸収性ポリマー、親水性シートなどの吸収性材料を成形したものである。また、コアラップは、ティッシュや不織布などで構成されている。そして、吸収体１８は、バックシート１７とトップシート１９との間に配置され接合される。吸収体１８は、腹側外装体１２Ｆと背側外装体１２Ｒとの間に延在され、腹側端部１８Ｆと背側端部１８Ｒとを備えている。なお、吸収体１８において、コアラップは割愛されていてもよい。吸収性本体１６は、吸収体１８の周辺部１８Ａを備えている。周辺部１８Ａは、吸収体１８が配置されていない領域であって、バックシート１７とトップシート１９とが重なって接着された領域である。吸収性本体１６の前後方向における外装体１２Ｆ，１２Ｒと重なる領域の内面と外面は、外装体を構成するシートが接着される被接着部１６Ａとなる。被接着部１６Ａは、吸収性本体１６の前後方向の両端部であって、吸収体１８の腹側端部１８Ｆおよび背側端部１８Ｒと周辺部１８Ａとを含む領域である。
【００２４】
吸収性本体１６には、前後方向に沿う両端部に立体ギャザー２１が配置されている。立体ギャザー２１は、トップシート１９に前後方向に沿う両端部にサイドシート２１Ｓを配置し、サイドシート２１Ｓに弾性部材２１Ｅを前後方向に沿って配置して構成されている。具体的に、サイドシート２１Ｓは、液不透過性を有した不織布などを含んだ前後方向に延びる長尺のシート体である。サイドシート２１Ｓは、前端部が腹側外装体１２Ｆと重なり、後端部が背側外装体１２Ｒと重なるように配置される。立体ギャザー２１は、弾性部材２１Ｅが収縮した際に、サイドシート２１Ｓが着用者の肌当接方向に向かって立ち上がり、脚回り開口部１０Ｌの周囲に位置する。
【００２５】
腹側外装体１２Ｆは、腹側上部領域１２ＦＵと腹側下部領域１２ＦＤとを備えている。背側外装体１２Ｒも、背側上部領域１２ＲＵと背側下部領域１２ＲＤとを備えている。
【００２６】
立体ギャザー２１の前端部と後端部は、吸収性本体１６上において、腹側下部領域１２ＦＤおよび背側下部領域１２ＲＤの股下部１０Ｃ側の下端から腹側上部領域１２ＦＵおよび背側上部領域１２ＲＵの中程まで延在される。立体ギャザー２１を構成するサイドシート２１Ｓは、弾性部材２１Ｅを挟み込むように折り返され、折り返しの前端部と後端部がシール部２３でシールされる。
【００２７】
図２（ｂ）に示すように、腹側上部領域１２ＦＵおよび背側上部領域１２ＲＵでは、腹側上部弾性部材１５ＦＵおよび背側上部弾性部材１５ＲＵが吸収性本体１６に対して内側、すなわちトップシート１９側に配置されており、胴回り開口部１０Ａや胴回り部１０Ｗの一部を構成している。腹側下部領域１２ＦＤおよび背側下部領域１２ＲＤでは、腹側下部弾性部材１５ＦＤおよび背側下部弾性部材１５ＲＤが吸収性本体１６に対して外側、すなわちバックシート１７側に配置されており、胴回り部１０Ｗの一部を構成している。
【００２８】
腹側上部領域１２ＦＵには、複数本の腹側上部弾性部材１５ＦＵが胴回り方向を長手方向としたシート間（腹側外部シート部２６Ｆと腹側内部シート部２５Ｆの間）において、胴回り方向における左右両端部に亘って伸長された状態で配置されている。背側上部領域１２ＲＵには、複数本の背側上部弾性部材１５ＲＵが胴回り方向を長手方向としたシート間（背側外部シート部２６Ｒと背側内部シート部２５Ｒとの間）において、胴回り方向における左右両端部に亘って伸長された状態で配置されている。
【００２９】
また、腹側下部領域１２ＦＤには、複数本の腹側下部弾性部材１５ＦＤが胴回り方向を長手方向としたシート間（腹側外部シート部２６Ｆと腹側内部シート部２５Ｆの間）において、胴回り方向における左右両端部に亘って配置されている。背側下部領域１２ＲＤには、複数本の背側下部弾性部材１５ＲＤが胴回り方向を長手方向としたシート間（背側外部シート部２６Ｒと背側内部シート部２５Ｒとの間）において、胴回り方向における左右両端部に亘って配置されている。これら弾性部材１５ＦＵ，１５ＦＤ，１５ＲＵ，１５ＲＤは、胴回り部１０Ｗにおいて、ウェストギャザーやタミーギャザーを構成し、腹漏れや背漏れの発生を抑制する。
【００３０】
図２（ｂ）に示すように、腹側下部領域１２ＦＤおよび背側下部領域１２ＲＤは、吸収性本体１６における被接着部１６Ａのバックシート１７に直接接着されている。図２（ａ）に示すように、腹側下部弾性部材１５ＦＤは、被接着部１６Ａ上において、伸長していない状態、例えば切断された状態で配置されている。また、大半の背側下部弾性部材１５ＲＤは、被接着部１６Ａ上において、伸長していない状態、例えば切断された状態で配置されている。これにより、吸収性本体１６は、腹側下部弾性部材１５ＦＤおよび背側下部弾性部材１５ＲＤの収縮に合わせて吸収性本体１６が収縮し、吸収性本体１６にひだが形成されることを抑制することができる。そして、吸収性本体１６と肌との間に隙間が生じることを抑制でき、腹漏れや背漏れを抑制することができる。
【００３１】
複数本の背側下部弾性部材１５ＲＤのうちで背側上部領域１２ＲＵの近くにおいて背側上部領域１２ＲＵの下端部に沿って位置する複数本の背側下部弾性部材１５ＲＤ１は、吸収体１８の背側端部１８Ｒ上において、伸長した状態、すなわち切断されていない状態で配置されている。したがって、背側下部弾性部材１５ＲＤ１が配置された領域では、背側端部１８Ｒにひだ１６Ｂを形成することができる。ひだ１６Ｂが形成された背側端部１８Ｒでは、吸収体１８の厚さをひだ１６Ｂが形成されていない領域より厚くなり、後述の背側ポケット３０Ｒの開口端が臀部に押されて塞がりにくくなる。ひだ１６Ｂを、背側ポケット３０Ｒに導くガイドとして機能させることができる。
【００３２】
図２（ｂ）に示すように、腹側上部領域１２ＦＵは、腹側上部弾性部材１５ＦＵをシート（腹側外部シート部２６Ｆと腹側内部シート部２５Ｆ）で挟み込んで腹側内部弾性部２７Ｆを構成している。また、腹側下部領域１２ＦＤも、腹側下部弾性部材１５ＦＤをシート（腹側外部シート部２６Ｆと腹側内部シート部２５Ｆ）で挟み込んだ腹側外部弾性部２８Ｆを構成している。腹側上部領域１２ＦＵおよび腹側下部領域１２ＦＤは、腹側外部シート部２６Ｆと腹側内部シート部２５Ｆとによって、一連に繋がっている。
【００３３】
背側上部領域１２ＲＵは、背側上部弾性部材１５ＲＵをシート（背側外部シート部２６Ｒと背側内部シート部２５Ｒ）で挟み込んで背側内部弾性部２７Ｒを構成している。また、背側下部領域１２ＲＤも、背側下部弾性部材１５ＲＤをシート（背側外部シート部２６Ｒと背側内部シート部２５Ｒ）で挟み込んで背側外部弾性部２８Ｒを構成している。背側上部領域１２ＲＵおよび背側下部領域１２ＲＤは、背側外部シート部２６Ｒと背側内部シート部２５Ｒとによって、一連に繋がっている。
【００３４】
腹側外部シート部２６Ｆおび背側外部シート部２６Ｒは、肌とは反対側の最も外側に位置するとともに、胴回り開口部１０Ａの部分で内側に折り曲げられて最も肌側に位置するシートである。腹側内部シート部２５Ｆおよび背側内部シート部２５Ｒは、腹側外部シート部２６Ｆおび背側外部シート部２６Ｒに対向するシートである。
【００３５】
腹側内部弾性部２７Ｆを構成している腹側外部シート部２６Ｆおよび腹側内部シート部２５Ｆは、腹側上部弾性部材１５ＦＵおよび腹側下部弾性部材１５ＦＤを挟み込み、第１接着剤２４で接着されている。腹側外部シート部２６Ｆおよび腹側内部シート部２５Ｆの折り返し部分は、胴回り開口部１０Ａを構成し、胴回り開口部１０Ａをシートの２枚重ねで構成することによって、強度を高めている。
【００３６】
背側内部弾性部２７Ｒを構成している背側外部シート部２６Ｒおよび背側内部シート部２５Ｒは、背側上部弾性部材１５ＲＵおよび背側下部弾性部材１５ＲＤを挟み込み、第１接着剤２４で接着されている。背側外部シート部２６Ｒおよび背側内部シート部２５Ｒの折り返し部分は、胴回り開口部１０Ａを構成し、胴回り開口部１０Ａをシート２枚重ねで構成することによって、強度を高めている。
【００３７】
腹側内部弾性部２７Ｆおよび背側内部弾性部２７Ｒにおいて、腹側上部弾性部材１５ＦＵおよび背側上部弾性部材１５ＲＵと隣接する腹側内部シート部２５Ｆおよび背側内部シート部２５Ｒは、被接着部１６Ａのトップシート１９に対して非接着とされる。また、腹側内部弾性部２７Ｆおよび背側内部弾性部２７Ｒにおいて、被接着部１６Ａの周囲の領域では、胴回り開口部１０Ａで折り返された腹側内部シート部２５Ｆ同士が第２接着剤２５によって接着される。また、被接着部１６Ａのバックシート１７も腹側内部シート部２５Ｆに対して第２接着剤２５によって接着される。
【００３８】
ここで、図３（ａ）は、上部領域の接着領域を図２（ａ）に対応して示す平面図、図３（ｂ）は、下部領域の接着領域を図２（ａ）に対応して示す平面図である。
図２（ｂ）および図３（ａ）に示すように、腹側上部領域１２ＦＵにおいて、被接着部１６Ａのバックシート１７が腹側内部シート部２５Ｆに対して第２接着剤２５によって接着される領域が、第１接着領域２２Ａとなる。また、背側上部領域１２ＲＵにおいて、被接着部１６Ａのバックシート１７が背側内部シート部２５Ｒに対して第２接着剤２５によって接着される領域が、第１接着領域２２Ａとなる。
【００３９】
また、腹側上部領域１２ＦＵにおける腹側内部弾性部２７Ｆにおいて、第１接着領域２２Ａの周囲であって、胴回り開口部１０Ａで折り返された腹側内部シート部２５Ｆ同士が第２接着剤２５によって接着される領域が、第２接着領域２２Ｂとなる。また、背側上部領域１２ＲＵにおける背側内部弾性部２７Ｒにおいて、胴回り開口部１０Ａで折り返された背側内部シート部２５Ｒ同士が第２接着剤２５によって接着される領域が、第２接着領域２２Ｂとなる。腹側内部弾性部２７Ｆおよび背側内部弾性部２７Ｒにおける第２接着領域２２Ｂは、被接着部１６Ａの周囲となることで、股下部１０Ｃを向いた凹部形状となる。この凹部形状の内側部分において、腹側内部弾性部２７Ｆおよび背側内部弾性部２７Ｒは、被接着部１６Ａのトップシート１９に対して非接着部となる。これにより、腹側内部弾性部２７Ｆの腹側内部シート部２５Ｆと被接着部１６Ａのトップシート１９との間には、腹側ポケット３０Ｆが構成される。また、背側内部弾性部２７Ｒの背側内部シート部２５Ｒと被接着部１６Ａのトップシート１９との間には、背側ポケット３０Ｒが構成される。
【００４０】
これらポケット３０Ｆ，３０Ｒは、股下部１０Ｃ側を開口端とし、腹や背の方向に移動する尿や便などの排泄物を収容できるように構成されている。また、第２接着領域２２Ｂは、胴回り開口部１０Ａと被接着部１６Ａの前後方向の先端部との間に所定の幅を有する余白部３４を備え、ポケット３０Ｆ，３０Ｒに収容された排泄物が胴回り開口部１０Ａの方へ漏れることを抑制している。
【００４１】
また、図３（ｂ）に示すように、腹側下部領域１２ＦＤおよび背側下部領域１２ＲＤにおいて、腹側外部弾性部２８Ｆおよび背側外部弾性部２８Ｒの腹側内部シート部２５Ｆおよび背側内部シート部２５Ｒが被接着部１６Ａのバックシート１７に対して接着される領域が、第３接着領域２２Ｃとなる。
【００４２】
ここで、腹側ポケット３０Ｆおよび背側ポケット３０Ｒの大きさについて説明する。図４に示すように、例えば乳幼児の体型は、腹部３６側は股間部分において窪み部３７を有しており、背部３８側は、臀部３９が出っ張っている。したがって、腹側ポケット３０Ｆの開口端は、股間部分が窪んでいることで開いた状態になりやすく、排泄物も腹側ポケット３０Ｆ内に進入しやすくなる。また、腹側ポケット３０Ｆは、尿などの液体が多く流入する傾向があり、小さ過ぎると腹漏れの原因となる。そこで、腹側ポケット３０Ｆは、背側ポケット３０Ｒに対して大きく深いものとし、尿などの排泄物を収容するための容積を十分確保し、腹漏れの発生を抑えるようにしている。そして、腹側ポケット３０Ｆは、おむつ１０を廃棄する際にも利用される。
【００４３】
なお、背側ポケット３０Ｒは、腹側ポケット３０Ｆに対して小さく浅いものとなっており、臀部３９によって、背側ポケット３０Ｒの開口端が塞がれにくくなっている。
【００４４】
以上のようなおむつ１０では、腹側外部シート部２６Ｆおよび腹側内部シート部２５Ｆが腹側上部領域１２ＦＵおよび腹側下部領域１２ＦＤに跨って設けられている。背側外部シート部２６Ｒおよび背側内部シート部２５Ｒも背側上部領域１２ＲＵおよび背側下部領域１２ＲＤに跨って設けられている。そして、腹側外部シート部２６Ｆおよび腹側内部シート部２５Ｆと背側外部シート部２６Ｒおよび背側内部シート部２５Ｒとは、接合部１１で接合されている。これにより、おむつ１０を履く際にも、脚が上部領域と下部領域との間の隙間に進入してしまい、おむつ１０が履きにくくなることを防ぐことができる。
【００４５】
そして、以上のようなおむつ１０の廃棄する場合、まず、おむつ１０を脱がせるため、接合部１１を破り、腹側外装体１２Ｆと背側外装体１２Ｒとを胴回り方向の両端部を切り離す。おむつ１０は、腹側及び背側において、上部領域と下部領域とが一連に繋がっているので、接合部１１を1回の破る作業で着用者から脱がすことができる。図５及び図６に示すように、使用済みのおむつ１０は、背側上部領域１２ＲＵの胴回り開口部１０Ａの部分を始点として、肌側の面を内側にして腹側上部領域１２ＦＵの方向（図５および図６中矢印Ｄ１方向、おむつ１０の前後方向）に丸められる。図６に示すように、背側上部領域１２ＲＵ、背側下部領域１２ＲＤ、股下部１０Ｃ、腹側下部領域１２ＦＤの順に丸められて構成された団塊部４１は、最後に、腹側ポケット３０Ｆに押し込むようにして挿入される。
【００４６】
団塊部４１を腹側ポケット３０Ｆに押し込んだだけでは、腹側下部領域１２ＦＤの胴回り方向の両方の角部４２がはみ出る。そこで、団塊部４１を腹側ポケット３０Ｆに押し込んだ後、角部４２を腹側ポケット３０Ｆに押し込む（図５及び図６中矢印Ｄ２方向）。これにより、団塊部４１が押し込まれた腹側ポケット３０Ｆはしっかりと封がされることになり、排泄物が腹側ポケット３０Ｆから漏れることを防ぐことができる。そして、使用済みのおむつ１０は、小さく丸められ、排泄物が手につかない状態で廃棄することができる。
【００４７】
腹側ポケット３０Ｆを構成する腹側内部弾性部２７Ｆ（腹側外部シート部２６Ｆと腹側内部シート部２５Ｆ）は、着用時に排泄物が収容され、さらに排泄物を保持した吸収性本体１６が丸められて収容される部分であることから、疎水性のシートで構成されていることが好ましい。これにより、腹側ポケット３０Ｆ内の排泄物がしみ出すことを抑えることができる。また、背側ポケット３０Ｒも、着用時に排泄物が収容される部分であることから、疎水性のシートで構成されていることが好ましい。
【００４８】
ここで、腹側ポケット３０Ｆの深さと腹側ポケット３０Ｆに収容される団塊部４１の大きさとの関係を説明する。図７および図８に示すように、腹側ポケット３０Ｆの大きさは、腹側ポケット３０Ｆ以外の部位を丸めた団塊部４１を収納可能な大きさである。一例として、吸収性本体１６の前後方向における腹側ポケット３０Ｆの深さＡは、Ａ＞Ｄ／２である。
【００４９】
Ｄ：Ｄ＝２×√（Ｔ×Ｌ／π）で規定される団塊部４１の直径
Ｔ：おむつ１０の厚さ（例えば外装体１２Ｆ，１２Ｒの部分のＴ２，Ｔ３厚さと股下部１０Ｃのところの厚さＴ１とは異なる。つまり、おむつ１０の厚さは場所ごとに異なる。そこで、おむつ１０の厚さＴは、外装体１２Ｆ，１２Ｒの部分の厚さを複数点測定し、さらに、股下部１０Ｃを複数点測定した平均値とする。）
Ｌ：Ｌ＝前記吸収性物品の前記前後方向における全長Ｌall−胴回り開口端と前記ポケットの最深部との間の距離（余白Ｂ、余白部３４）
なお、腹側ポケット３０Ｆの深さＡは、その開口端（腹側外部シート部２６Ｆの縁部と腹側内部シート部２５Ｆの縁部）であってもよいし、開口端に最も近い腹側上部弾性部材１５ＦＵであってもよい。
すなわち、腹側ポケット３０Ｆの深さＡは、団塊部４１の半径より大きくされる。これにより、腹側ポケット３０Ｆは、腹側上部弾性部材１５ＦＵの伸縮も相まって団塊部４１をしっかりと収容することができる。
【００５０】
以上、上記第１実施形態によれば以下に列挙する効果を得ることができる。
（１）腹側ポケット３０Ｆには、背側上部領域１２ＲＵ、背側下部領域１２ＲＤ、股下部１０Ｃ、腹側下部領域１２ＦＤの順に丸められて構成された団塊部４１を収容することができる。これにより、例えば、従来のおむつに設けられていた使用済みのおむつを丸めた状態に保持するテープ体を不要とすることができる。加えて、腹側ポケット３０Ｆは、背側ポケット３０Ｒに対して大きいことから、排泄物を収容するための容積を十分確保でき、腹漏れの発生を抑えることができる。
【００５１】
（２）具体的に、腹側ポケット３０Ｆの深さＡは、団塊部４１の半径より大きくすることで、腹側ポケット３０Ｆは、団塊部４１をしっかりと収容することができる。
（３）内部弾性部２７Ｆ，２７Ｒは、被接着部１６Ａに対して接着されず、被接着部１６Ａの外側に位置する内部シート部２５Ｆ，２５Ｒに接着されるので、ポケット３０Ｆ、３０Ｒを大きくすることができる。
【００５２】
（４）腹側上部領域１２ＦＵおよび背側上部領域１２ＲＵでは、ポケット３０Ｆ，３０Ｒの部分において、吸収性本体１６の被接着部１６Ａに対して、内部弾性部２７Ｆ，２７Ｒが非接着なので、腹側上部弾性部材１５ＦＵおよび背側上部弾性部材１５ＲＵが自由に伸縮することができる。したがって、腹側上部領域１２ＦＵと背側上部領域１２ＲＵと肌との密着性が良くなり、また、着用者の動きに対する追従性を良くすることができる。この結果、腹漏れや背漏れの発生を抑制することができる。また、腹側上部弾性部材１５ＦＵおよび背側上部弾性部材１５ＲＵの伸縮が制限されないことで、腹側上部領域１２ＦＵおよび背側上部領域１２ＲＵにおける肌触りを良くすることができる。
【００５３】
（５）上部弾性部の下側にさらに、腹側内部弾性部２７Ｆおよび背側内部弾性部２７Ｒの下側にさらに、腹側外部弾性部２８Ｆおよび背側外部弾性部２８Ｒを配しているので、ウェストギャザーやタミーギャザーを大きくし、腹漏れや背漏れの発生を抑制することができる。
【００５４】
（６）腹側ポケット３０Ｆの方が背側ポケット３０Ｒより大きいので、腹側に流れた排泄物を確実に収容することができる。大きい方の腹側ポケット３０Ｆに団塊部４１を収容することができる。
（７）大半の背側下部弾性部材１５ＲＤは、被接着部１６Ａ上において、伸長していない状態、例えば切断された状態で配置されている。これにより、吸収性本体１６は、腹側下部弾性部材１５ＦＤおよび背側下部弾性部材１５ＲＤの収縮に合わせて吸収性本体１６が収縮しひだが形成されることはない。したがって、吸収性本体１６と肌との間に隙間を生じることを抑制でき、腹漏れや背漏れを抑制することができる。
【００５５】
（８）腹側ポケット３０Ｆおよび背側ポケット３０Ｒの周囲においては、被接着部１６Ａの内側と外側に対応して位置する内部シート部２５Ｆ，２５Ｒ同士が直接接着され、被接着部１６Ａの周囲の第２接着領域２２Ｂが大面積となる。したがって、接着領域から排泄物が漏れることを抑制することができる。また、余白部３４を備えている。したがって、腹側ポケット３０Ｆおよび背側ポケット３０Ｒの中に収容された排泄物が胴回り開口部１０Ａの方へ漏れることを抑制することができる。
【００５６】
（９）腹側外部シート部２６Ｆおよび背側外部シート部２６Ｒで吸収性本体１６を覆うことができるので意匠を良くすることができる。
（１０）一連の腹側外部シート部２６Ｆおよび背側外部シート部２６Ｒならびに腹側内部シート部２５Ｆおよび背側内部シート部２５Ｒは、胴回り開口部１０Ａで折り返されて配設されている。したがって、腹側ポケット３０Ｆおよび背側ポケット３０Ｒに収容された排泄物が胴回り開口部１０Ａから外部へ漏れることも抑制できる。
【００５７】
（１１）おむつ１０を着用者に着用させるとき、作業者は、ポケット３０Ｆ、３０Ｒの開口端に指を引っかけて、おむつ１００を上側に上げる作業を行う。このため、内部弾性部２７Ｆ，２７Ｒと連続するシートの胴回り開口部１０Ａの近傍に引っ張り力が作用し、当該箇所が破け破損するおそれがある（図２（ｂ）中Ａ部参照）。おむつ１０は、胴回り開口部１０Ａのシート構造を外部シート部２６Ｆ，２６Ｒと内部シート部２５Ｆ，２５Ｒとで二重構造としているので、胴回り開口部１０Ａの部分を破れにくくすることができる。
【００５８】
〔第２実施形態〕
図９（ａ）および（ｂ）に示すように、パンツ型使い捨ておむつ１００は、腹側外装体１２Ｆと背側外装体１２Ｒの肌側の内面を、吸収性本体１６の被接着部１６Ａのトップシート１９に対して接着する。そして、外装体１２Ｆ，１２Ｒに対する被接着部１６Ａの接着領域１０１は、吸収体１８を挟み込んだバックシート１７とトップシート１９が重なった領域、すなわち、バックシート１７とトップシート１９との間に吸収体１８が存在しない周辺部１８Ａである。当該接着領域１０１が外装体１２Ｆ，１２Ｒの内面に接着剤１０３によって接着される。これにより、被接着部１６Ａと外装体１２Ｆ，１２Ｒとの間には、ポケット３０Ｆ、３０Ｒが構成される。このように構成されるポケット３０Ｆ、３０Ｒに対しても、使用済みのおむつ１００を前後方向における一方の端部から順に丸めた団塊部を何れかのポケット３０Ｆ、３０Ｒに対して押し込むことができる。このときのポケット３０Ｆ、３０Ｒの大きさも、上述した前後方向における腹側ポケット３０Ｆの深さＡは、Ａ＞Ｄ／２の関係を満たすことが好ましい。
【００５９】
なお、ここでの外装体１２Ｆ，１２Ｒは、弾性部材１０２をシートで挟み込んで構成されている。また、外装体１２Ｆ，１２Ｒは、第１実施形態のように、上部領域と下部領域を備えてもよいが、ここでは上部領域と下部領域とに分かれているものではない。
【００６０】
なお、上記実施形態は以下のように適宜変更して実施することもできる。
・背側ポケット３０Ｒの大きさは、腹側ポケット３０Ｆの大きさと同じあってもよいし、背側ポケット３０Ｒの方が腹側ポケット３０Ｆより大きくてもよい。すなわち、少なくとも何れか一方のポケットが団塊部４１を収容できる大きさであればよい。
【００６１】
・大きい方のポケットの大きさは、団塊部４１を収容できれば、大きさや形状は特に限定されるものではない。
【００６２】
・ポケット３０Ｆ，３０Ｒの形状は、排泄物の進入を妨げず、また、団塊部４１を収容できれば特に限定されるものではない。例えば、ポケット３０Ｆ，３０Ｒは、例えばポケット３０Ｆ，３０Ｒの開口端の幅が狭まった全体がΩ形状を有していてもよい。これにより、ポケット３０Ｆ，３０Ｒに入った排泄物が逆戻りすることを抑制することができる。また、ポケット３０Ｆ，３０Ｒの開口端の幅が胴回り開口部１０Ａ側の辺より広くてもよい。これにより、ポケット３０Ｆ，３０Ｒに対して排泄物や団塊部４１が入りやすくなる。
【００６３】
・ポケットは、腹側外装体１２Ｆ、背側外装体１２Ｒの何れか一方に設けられていればよい。
・前身頃１０Ｆおよび後身頃１０Ｒの少なくとも一方が上部領域と下部領域に分かれていてもよいし、両方が上部領域と下部領域とに分かれていてもよいし、両方が上部領域と下部領域とに分かれていなくてもよい。
【００６４】
・腹側上部領域１２ＦＵと腹側下部領域１２ＦＤとは、腹側外部シート部２６Ｆおよび腹側内部シート部２５Ｆで繋がっていなくてもよい。また、背側上部領域１２ＲＵと背側下部領域１２ＲＤとも、背側外部シート部２６Ｒおよび背側内部シート部２５Ｒで繋がっていなくてもよい。
【００６５】
・腹側外装体１２Ｆおよび背側外装体１２Ｒを構成するシートは、液不透過性であってもよいし、液透過性であってもよい。
・おむつ１０において、胴回り開口部１０Ａの部分が例えば１枚のシートで破れるおそれがない程度に強度を出すことができる場合、腹側内部シート部２５Ｆおよび背側内部シート部２５Ｒは、被接着部１６ａ対して内側の位置と外側の位置で一連に繋がっていなくてもよい。すなわち、胴回り開口部１０Ａの部分は、腹側外部シート部２６Ｆおよび背側外部シート部２６Ｒだけで構成してもよい。
【００６６】
・使い捨ておむつとしては、腹側外装体１２Ｆと背側外装体１２Ｒとが分離したパンツ型のおむつに限らず、腹側外装体と背側外装体とが一体化したパンツ型のおむつであってもよく、またパンツ型のおむつに限らず、テープ型のおむつであってもよい。また、乳幼児用又は介護を必要とする高齢者や障害者等の成人用の使い捨ておむつであってもよい。
【符号の説明】
【００６７】
Ａ…深さ、Ｂ…余白部、Ｔ…厚さ、１０Ａ…胴回り開口部、１０Ｃ…股下部、１０Ｆ…前身頃、１０Ｌ…脚回り開口部、１０Ｒ…後身頃、１０Ｗ…胴回り部、１１…接合部、１２Ｆ…腹側外装体、１２Ｒ…背側外装体、１２ＦＵ…腹側上部領域、１２ＦＤ…腹側下部領域、１２ＲＵ…背側上部領域、１２ＲＤ…背側下部領域、１５ＦＵ…腹側上部弾性部材、１５ＦＤ…腹側下部弾性部材、１５ＲＵ…背側上部弾性部材、１５ＲＤ…背側下部弾性部材、１５ＲＤ１…背側下部弾性部材、１６…吸収性本体、１６Ａ…被接着部、１７…バックシート、１８…吸収体、１８Ａ…周辺部、１８Ｆ…腹側端部、１８Ｒ…背側端部、１９…トップシート、２１…立体ギャザー、２１Ｅ…弾性部材、２１Ｓ…サイドシート、２２Ａ…第１接着領域、２２Ｂ…第２接着領域、２２Ｃ…第３接着領域、２３…シール部、２４…第１接着剤、２５…第２接着剤、２５Ｆ…腹側内部シート部、２５Ｒ…背側内部シート部、２６Ｆ…腹側外部シート部、２６Ｒ…背側外部シート部、２７Ｆ…腹側内部弾性部、２７Ｒ…背側内部弾性部、２８Ｆ…腹側外部弾性部、２８Ｒ…背側外部弾性部、３０Ｆ…腹側ポケット、３０Ｒ…背側ポケット、３４…余白部、３６…腹部、３７…窪み部、３８…背部、３９…臀部、４１…団塊部、４２…角部、１０１…接着領域、１０２…弾性部材、１０３…接着剤。
【図１】
2018102504.tif 000003
【図２】
2018102504.tif 000004
【図３】
2018102504.tif 000005
【図４】
2018102504.tif 000006
【図５】
2018102504.tif 000007
【図６】
2018102504.tif 000008
【図７】
2018102504.tif 000009
【図８】
2018102504.tif 000010
【図９】
2018102504.tif 000011
【手続補正書】
【提出日】平成29年9月15日(2017.9.15)
【手続補正１】
【補正対象書類名】特許請求の範囲
【補正対象項目名】請求項１
【補正方法】変更
【補正の内容】
【請求項１】
前身頃を構成する第１外装部と、
後身頃を構成する第２外装部と、
前後方向における両端部が前記第１外装部および前記第２外装部と重なる被接着部とを備える吸収性本体とを備え、
前記第１外装部と前記第２外装部とは、胴回り方向の両端部が接合部で接続されて胴回り部を構成し、
前記第１外装部と前記第２外装部のうちの少なくとも１つの外装部は、前記吸収性本体より肌側となる内側に位置し、
前記被接着部と前記内側に配置された外装部とが重なる領域には、開口端が股下側を向いたポケットを備え、
少なくとも１つの前記ポケットは、前記接合部において前記第１外装部と前記第２外装部とが離れた状態で、前記前後方向における当該ポケットとは反対側の端部から肌側の面を内側にして前記前後方向に丸めて形成される団塊部を収納可能な大きさを有するように構成されている
吸収性物品。
【手続補正２】
【補正対象書類名】特許請求の範囲
【補正対象項目名】請求項２
【補正方法】変更
【補正の内容】
【請求項２】
前記吸収性本体の前後方向における前記少なくとも１つのポケットの深さＡは、Ａ＞Ｄ／２である
請求項１に記載の吸収性物品。
Ｄ：Ｄ＝２×√（Ｔ×Ｌ／π）で規定される前記団塊部の直径
Ｔ：吸収性物品の厚さ
Ｌ：Ｌ＝前記吸収性物品の前記前後方向における全長Ｌall−胴回り開口端と前記ポケットの最深部との間の余白Ｂ
【手続補正３】
【補正対象書類名】特許請求の範囲
【補正対象項目名】請求項３
【補正方法】変更
【補正の内容】
【請求項３】
前記吸収性本体は、吸収体を備え、
前記被接着部は、少なくとも前記吸収体と重なる領域において、前記外装部に対して接着されない非接着部分を有する
請求項１または２に記載の吸収性物品。